(57)【要約】      （修正有）【課題】装飾部品を前面グリルに固定する際に、複数の爪を不要とした構造によって、変形のない美しい外観を得ることができる空気調和機を提供すること。【解決手段】筺体と、筺体の前面に取付けられる前面グリル１１と、前面グリル１１に備えられる装飾部品１２と、前面グリル１１の前面に係止される化粧パネル１３とからなる空気調和機の室内機１であって、前面グリル１１は、前面側に形成された溝部１１０を備え、装飾部品１２は、溝部１１０に嵌め込まれる棒状の軟質材からなる押出成型品であり、化粧パネル１３は、装飾部品１２の一部が露出するように溝部１１０と装飾部品１２を覆うものである。【選択図】図２
2014089003.tif 000002
【特許請求の範囲】
【請求項１】
筺体と、同筺体の前面に取付けられる前面グリルと、同前面グリルに備えられる装飾部品と、前記前面グリルの前面に係止される化粧パネルとからなる空気調和機において、
前記前面グリルは、前面側に形成された溝部を備え、
前記装飾部品は、前記溝部に嵌め込まれる棒状の軟質材からなる押出成型品であり、
前記化粧パネルは、前記装飾部品の一部が露出するように前記溝部と前記装飾部品を覆うことを特徴とする空気調和機。
【請求項２】
前記溝部の溝端部と、同溝端部に嵌め込まれた前記装飾部品の端部は、露出せずに前記化粧パネルで覆われることを特徴とする請求項１に記載の空気調和機。
【請求項３】
前記装飾部品の露出幅は、一定ではないことを特徴とする請求項１に記載の空気調和機。
【請求項４】
前記溝部は、屈曲部を有し、同屈曲部に嵌め込まれた前記装飾部品の内径側が、前記化粧パネルによって覆われることを特徴とする請求項１または請求項３に記載の空気調和機。
【発明の詳細な説明】
【技術分野】
【０００１】
本発明は、空気調和機に関し、特に前面グリルを装飾する装飾部品の固定構造に関する。
【背景技術】
【０００２】
近年、空気調和機の室内機は、意匠性に高級感が求められ、室内機の前面を構成する前面グリルに光輝性を有する装飾部品を備えるようになっている。例えば、塩化ビニル樹脂などの軟質材からなる押出成型品の表面に光輝性金属蒸着層を有するフィルムを溶着した装飾部品を前面グリルの周囲に設けられた複数のツメに固定するようにした構造のものがある（例えば、特許文献１参照）。
【０００３】
この装飾部品は断面Ｕ字状に形成された溝を備え、前面グリルの周囲に間隔を置いて複数の爪が形成され、装飾部品の溝に複数の爪を嵌め込むことにより、装飾部品を前面グリルに容易に固定することができる。また、前面グリルに固定された装飾部品は軟質材からなるため、リサイクル時などの作業の際に、装飾部品を前面グリルの手前に引っ張ることにより、複数の爪の引っ掛かりが解除され、前面グリルから装飾部品を容易に取り外すことができる。
【０００４】
しかしながら、特許文献１のように構成された室内機では、軟質材からなる装飾部品を複数の爪に固定しただけであるため、装飾部品はリサイクル時などの作業で取り外しが容易な反面、複数の爪で固定された所が経年変化で部分的に変形し、前面グリルの正面から見て波のような曲線になって見栄えの悪い外観になるという問題点があった。また、装飾部品は押出成型後、前面グリルの周囲の長さに合わせ、所定の長さに切断される端部の切り口が樹脂の露出状態になっているため、装飾部品の端部の切り口を見栄え良くするのにキャップを被せて隠す必要があるという問題点があった。
【先行技術文献】
【特許文献】
【０００５】
【特許文献１】特開２０１１−９９５９６号公報
【発明の概要】
【発明が解決しようとする課題】
【０００６】
本発明は上記問題点に鑑み、装飾部品を前面グリルに固定する際に、複数の爪を不要とした構造によって、変形のない美しい外観を得ることができる空気調和機を提供することを目的とする。
【課題を解決するための手段】
【０００７】
上記課題を解決するため、本発明の空気調和機は、筺体と、筺体の前面に取付けられる前面グリルと、前面グリルに備えられる装飾部品と、前面グリルの前面に係止される化粧パネルとからなり、前面グリルは、前面側に形成された溝部を備え、装飾部品は、溝部に嵌め込まれる棒状の軟質材からなる押出成型品であり、化粧パネルは、装飾部品の一部が露出するように溝部と装飾部品を覆うものである。
【０００８】
また、溝部の溝端部と、溝端部に嵌め込まれた装飾部品の端部は、露出せずに化粧パネルで覆われ、装飾部品の露出幅は一定ではなく、さらに、溝部は、屈曲部を有し、屈曲部に嵌め込まれた装飾部品の内径側が、化粧パネルによって覆われるものである。
【発明の効果】
【０００９】
本発明の空気調和機によれば、前面グリルに備えられた溝部に嵌め込まれた装飾部品の一部が露出するように、化粧パネルによって溝部と装飾部品を覆うようにした。これにより、装飾部品を前面グリルに固定する際に、複数の爪を不要とした構造によって、変形のない美しい外観を得ることができる。
【００１０】
また、本発明の空気調和機によれば、溝部の溝端部が化粧パネルで覆われるため、装飾部品の端部に被せるキャップを必要とせず、コストダウンになり、美しい外観を得ることができる。また、装飾部品の露出幅は、一定ではないため、１本の装飾部品の見る場所の違いで光輝性が強調された装飾表現を得ることができる。さらに、溝部の屈曲部に嵌め込まれた装飾部品の内径側が、化粧パネルによって覆われるため、装飾部品の内径側に発生するシワが隠せるので、外観の品質低下を防ぐことができる。
【図面の簡単な説明】
【００１１】
【図１】本発明による空気調和機を示す外観斜視図である。
【図２】図１におけるＡ矢視の丸印部を示す説明図で、（ａ）は正面から見た部分拡大図、（ｂ）は（ａ）のＤ−Ｄ部分断面図である。
【図３】図１におけるＢ矢視の丸印部を示す説明図で、（ａ）は正面から見た部分拡大図、（ｂ）は（ａ）の化粧パネルを取外した状態を示す図である。
【図４】図１におけるＣ−Ｃ部分断面図である。
【図５】図１におけるＡ矢視の丸印部を示す説明図で、化粧パネルを取外した状態を示す図である。
【図６】本発明による空気調和機の他の実施例を示す説明図で、（ａ）は図１におけるＡ矢視の丸印部に相当する部分拡大図、（ｂ）は（ａ）のＥ−Ｅ部分断面図、（ｃ）は（ａ）のＦ−Ｆ部分断面図である。
【発明を実施するための形態】
【００１２】
以下、本発明の実施形態を添付図面に基づき詳細に説明する。本実施形態による空気調和機の室内機として、図１に示すように、壁掛型室内機１を例に挙げて説明する。なお、図２（ａ）、図３および図５は、室内機１を正面から見て右側角部のみを示した図であるが、左側角部も右側角部と対称な構造になっているものとして説明する。
【００１３】
＜全体構成＞
図１に示すように、室内機１は、図示しない送風ファン、熱交換器、エアフィルタなどを内部に収容した箱状の筺体１０と、筺体１０の前面に取付けられる前面グリル１１と、前面グリル１１に備えられる装飾部品１２と、前面グリル１１の前面に係止される化粧パネル１３とを備えている。室内機１は、筺体１０の上部から吸込んだ空気を熱交換器で熱交換し、送風ファンにより吹出口の風向板１４で室内に吹出す構造になっている。
【００１４】
＜前面グリル＞
前面グリル１１は、図１乃至図４に示すように、上下方向に比べて左右方向に長い矩形に形成され筺体１０の前面を覆い、メンテナンス時には取り外し可能となっており、装飾部品１２が嵌め込まれる溝部１１０と、化粧パネル１３を取付けるための複数の係止孔１１８とを備えている。
【００１５】
溝部１１０は、前面グリル１１の正面から見たとき、前面グリル１１の正面の周囲縁部１１１に沿い、Ｕ字状に形成されている。溝部１１０は、前面グリル１１の背面側に凹む断面コ字状に形成されている。また、溝部１１０は、断面コ字状に替えて底面が狭く開口が広い断面台形状でもよい。
溝部１１０は、前面グリル下部の左右方向に延在する左右延在部１１２と、前面グリル側面の上下方向に延在する上下延在部１１３と、前面グリル下部の両側角部で屈曲する下部屈曲部１１４と、前面グリル上部の両側角部で屈曲する上部屈曲部１１５と、上部屈曲部１１５から前面グリル１１の内側に延在する上部延在部１１６と、上部延在部１１６の端に形成された溝端部１１７とを備えている。
【００１６】
係止孔１１８は、前面グリル１１の厚さ方向に貫通した矩形状の孔であって、前面グリル１１の正面から見たとき、溝部１１０の上下延在部１１３よりも内側にあり、上下延在部１１３と平行に上下方向に間隔を置いて形成されている。
【００１７】
＜装飾部品＞
装飾部品１２は、図２（ｂ）に示すように、断面かまぼこ状の棒状部品であり、透明フィルムの裏面に蒸着された光輝性金属蒸着層と、光輝性金属蒸着層の裏面に形成された接着層とを備えた光輝性金属蒸着フィルム１２０と、塩化ビニル樹脂などの押出成型品からなる軟質材の基材１２１とからなり、光輝性金属蒸着フィルム１２０の接着層と基材１２１の表面とを溶着することにより一体的に形成される、いわゆる光輝モールである。
【００１８】
装飾部品１２は、前面グリル１１に備えられた溝部１１０の全長よりも若干短い長さに形成され、両端が端部１２２となる。装飾部品１２は、光輝性金属蒸着フィルム１２０の表面が前面グリル１１の正面から見て露出するように前面グリル１１の溝部１１０に沿って嵌め込まれる。装飾部品１２の光輝性により室内機１の縁がメタリック調に輝き、意匠性に高級感が与えられる。
【００１９】
なお、装飾部品１２は、断面かまぼこ状の棒状部品に替えて、図示はしないが、断面コ字状の棒状部品でもよく、この場合は、前面グリル１１の溝部１１０の下部屈曲部１１４および上部屈曲部１１５で曲面に沿って曲げ易く嵌め込み易くなる。
【００２０】
＜化粧パネル＞
化粧パネル１３は、図１乃至図３に示すように、前面側がフラットで前面グリル１１の大きさよりもひとまわり小さく、上下方向に比べて左右方向に長い矩形の板状であり、周囲縁部１３１に沿って形成され装飾部品１２を押さえる押さえ部１３０と、前面グリル１１に備えられた係止孔１１８に対応する複数の係止爪１３７とを備えている。
【００２１】
押さえ部１３０は、化粧パネル１３を前面グリル１１に取付けたとき、溝部１１０上にはみ出すように形成され、前面グリル１１の溝部１１０の左右延伸部１１２に嵌め込まれた装飾部品１２を押さえる左右押さえ部１３２と、前面グリル１１の溝部１１０の上下延伸部１１３に嵌め込まれた装飾部品１２を押さえる上下押さえ部１３３と、化粧パネル下部の両側角部に沿い、前面グリル１１の溝部１１０の下部屈曲部１１４に嵌め込まれた装飾部品１２を押さえる下角部押さえ部１３４と、化粧パネル上部の両側角部に沿い、前面グリル１１の溝部１１０の上部屈曲部１１５に嵌め込まれた装飾部品１２を押さえる上角部押さえ部１３５と、上角部押さえ部１３５から化粧パネル１３の内側に延びた上部押さえ部１３６とからなる。
【００２２】
係止爪１３７は、化粧パネル１３の背面側から突出するように形成された弾性を有する爪であって、化粧パネル１３の正面からみたとき、上下押さえ部１３３よりも内側にあり、上下押さえ部１３３と平行に上下方向に係止孔１１８と同じ間隔を置いて形成されている。すなわち、係止爪１３７は、前面グリル１１に備えられた係止孔１１８に対応する位置に形成されている。
【００２３】
＜組立＞
次に、前面グリル１１と化粧パネル１３で装飾部品１２を固定する方法について説明する。図３および図４に示すように、装飾部品１２の一方の端部１２２を前面グリル１１の一方の溝端部１１７から上部延在部１１６にかけて嵌め込む。次に、一方の上部屈曲部１１５、上下延在部１１３、下部屈曲部１１４の順に嵌め込む。その後、左右延在部１１２、反対側の下部屈曲部１１４、上下延在部１１３、上部屈曲部１１５の順に嵌め込み、反対側の上部延在部１１６から溝端部１１７にかけて他方の端部１２２を嵌め込む。
【００２４】
溝部１１０に嵌め込んだ装飾部品１２の全長は、溝部１１０の全長よりも短く形成されているため、図３（ｂ）のように、装飾部品１２の端部１２２と溝端部１１７との間に遊び空間Ｓが形成される。これにより、装飾部品１２は、押出成型時の収縮や膨張および押出成型後の切断時の長さのバラツキや、周囲温度の変化による収縮や膨張による長さの変化が遊び空間Ｓによって吸収される。
【００２５】
次に、図１および図４に示すように、溝部１１０に装飾部品１２を嵌め込んだ前面グリル１１の係止孔１１８に、化粧パネル１３に備えられた係止爪１３７を差込むことで前面グリル１１に化粧パネル１３が係止される。
【００２６】
化粧パネル１３は、図２（ａ）に示すように、装飾部品１２が溝部１１０に嵌め込まれた状態で内側縁部１２３から中間部１２４までの範囲が均一な幅になるように押さえ部１３０で押えつける。この結果、装飾部品１２は、図２（ｂ）のように、中間部１２４から外側縁部１２５までの範囲が均一な幅で露出する露出部Ｐが得られる。
【００２７】
また、装飾部品１２は、図５に示すように、光輝性金属蒸着フィルム１２０の素材によって、曲げた部分の内側にシワＣが発生することがあるが、図２（ａ）に示すように、装飾部品１２の内側縁部１２３から中間部１２４までの範囲が化粧パネル１３の下角部押さえ部１３４によって押さえつけられるため、化粧パネル１３の正面からシワＣを覆い隠して外観の品質低下を防止できる。
【００２８】
そして、化粧パネル１３は、図３（ａ）に示すように、溝部１１０の上部屈曲部１１５から延出部１１６と溝端部１１７に嵌め込まれた装飾部品１２の端部１２２を露出せずに、化粧パネル１３の上角部押さえ部１３５および上部押さえ部１３６で隠れるように覆うことで、装飾部品１２の端部１２２に被せるキャップを必要とせずコストダウンになり、端部１２２の切り口が完全に覆い隠され、室内機１の使用者に不快感のない美しい外観を得ることができる。
【００２９】
以上説明してきた実施形態による室内機１によれば、化粧パネル１３に備えられた押さえ部１３０によって、前面グリル１１に備えられた溝部１１０に嵌め込まれた装飾部品１２が押さえられ、溝部１１０が確実に保持されるとともに、均一な幅で露出するように、前面グリルに備えられた溝部１１０を覆うようにした。このため、装飾部品１２は、前面グリル１１の周囲に複数の爪を必要とせずに、溝部１１０に嵌め込んだ状態で保持されるので、簡単な構造によって、装飾部品１２を前面グリル１１に固定することができ、かつ、装飾部品１２が経年変化で変形することなく、前面グリル１１の正面から見て縁がメタリック調に輝く直線になって高級感のある美しい外観を保つことができる。また、装飾部品１２は、室内機１の運搬や運転などの時に振動があっても、化粧パネル１３に備えられた押さえ部１３０がストッパーの役目を果たし、溝部１１０から脱落するのを防止することができる。
さらに、装飾部品１２は、化粧パネル１３に備えられた押さえ部１３０によって押さえられると、装飾部品１２が軟質材のため、横に広がり溝部１１０の側壁に密着するので、溝部１１０との隙間がなくなり、前面グリル１１の正面から見て美しい外観を得ることができる。また、溝部１１０が断面台形状の場合は、溝部１１０の傾斜面に装飾部品１２が密着するので、さらに美しい外観を得ることができる。
【００３０】
次に、その他の実施形態による空気調和機の室内機について図６を用いて説明する。なお、前述の実施形態と構成自体は同一であるため、同一符号を付しているが、その説明は省略する。なお、図６は、室内機１を正面から見て右側角部のみを示した図であるが、左側角部も右側角部と対称な構造になっているものとして説明する。
【００３１】
この室内機において前述の実施形態と相違する構造は、図６に示すように、前面パネル１１０の溝部１１０の上下延伸部１１３と下部屈曲部１１４と左右延伸部１１２に嵌め込まれた装飾部品１２の露出幅が異なるように化粧パネル１３の押さえ部１３０で覆われるところである。
【００３２】
すなわち、化粧パネル１３は、図６（ａ）に示すように、前面グリル１１に係止された状態で、前述の実施形態の化粧パネル１３と比較して左右方向の幅が長く、上下方向の幅が短くなっている。このため、装飾部品１２は、図６（ｂ）に示すように、前面グリル１１の上下方向に延びる装飾部品１２の中間部１２４から外側縁部１２５までの範囲の露出幅Ｗ１が、図６（ｃ）に示すように、前面グリル１１の左右方向に延びる装飾部品１２の中間部１２４から外側縁部１２５までの範囲の露出幅Ｗ２よりも狭くなるように設定されている。
【００３３】
以上説明してきた本実施形態による室内機１についても、前述の実施形態と同様な効果を得ることができる。さらに、装飾部品１２を前面グリル１１の溝部１１０に嵌め込んだ構造はそのままで、装飾部品１２の露出幅Ｗ２が露出幅Ｗ１よりも広くなっているので、室内機１を前面下方から見上げたとき、左右延伸部１１２に嵌め込まれた装飾部品１２が目立ち、室内機１の左右方向の光輝性が強調された高級感のある装飾表現を得ることができる。
【符号の説明】
【００３４】
１  室内機
１０  筺体
１１  前面グリル
１１０  溝部
１１１  周囲縁部
１１２  左右延在部
１１３  上下延在部
１１４  下部屈曲部
１１５  上部屈曲部
１１６  上部延在部
１１７  溝端部
１１８  係止孔
１２  装飾部品
１２０  光輝性金属蒸着フィルム
１２１  基材
１２２  端部
１２３  内側縁部
１２４  中間部
１２５  外側縁部
１３  化粧パネル
１３０  押さえ部
１３１  周囲縁部
１３２  左右押さえ部
１３３  上下押さえ部
１３４  下角部押さえ部
１３５  上角部押さえ部
１３６  上部押さえ部
１３７  係止爪
１４  風向板
Ｐ  露出部
Ｓ  遊び空間
Ｃ  シワ
Ｗ１、Ｗ２  露出幅
【図１】
2014089003.tif 000003
【図２】
2014089003.tif 000004
【図３】
2014089003.tif 000005
【図４】
2014089003.tif 000006
【図５】
2014089003.tif 000007
【図６】
2014089003.tif 000008